(57)【特許請求の範囲】
【請求項１】
ＣＡＴＶ用機器の回路基板に実装されて、回路基板の側方から差し込まれるコンタクトピンを保持可能なコンタクトピン保持具であり、
絶縁性のケース内に導電性の圧接具が装備されており、
前記ケースは四方に側壁を備え、上面が開口された箱型であり、圧接具を差し込み可能な取り付け部と、コンタクトピンを押込み可能なコンタクトピン嵌入部と、コンタクトピン嵌入部に押し込まれたコンタクトピンを支持可能なコンタクトピン支持部と、外部に連通する空間部を備えており、
前記空間部はコンタクトピン嵌入部に嵌入されるコンタクトピンの軸方向と直交する両側壁又はいずれか一方の側壁に開口されて外部に連通して、誘電率が外部の空気の誘電率と同じになるようにしてあり、
前記圧接具は板状の装備片と、装備片の下端に突出する突起と、装備片の上端部を下向きに湾曲させて装備片の軸方向途中まで折り返したバネ片を備え、装備片に開口部を開口して装備片の面積を小さくしてあり、
前記バネ片は装備片の上端部を下向きに湾曲させて装備片の軸方向途中まで折り返されており、折り返された下端部が装備片から離れる方向に拡がっており且つ装備片側に押されてから当該押しが解除されると元に復元するバネ性を備えており、
前記圧接具は装備片をケースの側壁の内側にしてケースの取り付け部に差し込まれてケースに固定され、突起が前記ケースを搭載する回路基板に実装できるようにケースの下方に突設されており、
前記バネ片はケースのコンタクトピン嵌入部に嵌入されるコンタクトピンを、前記バネ性により前記コンタクトピン支持部に押し付けて当該コンタクトピン支持部との間に挟着保持できるようにしてある、
ことを特徴とするコンタクトピン保持具。
【請求項２】
請求項１記載のコンタクトピン保持具において、
圧接具のバネ片が、圧接具の幅方向に二以上に区画されたものである、
ことを特徴とするコンタクトピン保持具。
【発明の詳細な説明】
【技術分野】
【０００１】
本発明は、通信機器、例えば、ＣＡＴＶ用機器の回路基板に実装されて、当該機器に取付けられた接栓のコンタクトピンを確実に保持できるコンタクトピン保持具と、コンタクトピンに圧接する圧接具と、その圧接具を取付けるケースに関する。
【背景技術】
【０００２】
ＣＡＴＶ用機器には増幅器等の各種機器がある。それら機器の一例として図５に示すものがある。図５のＣＡＴＶ用機器は、アルミダイキャスト製の筐体Ａの周壁Ｂに、入出力用の接栓Ｃ１やモニタ用の接栓Ｃ２（通常は入出力用の接栓Ｃ１よりも小径）が取り付けられている。接栓Ｃ１、Ｃ２はコンタクトピンＤ１、Ｄ２を備えており、それらコンタクトピンＤ１、Ｄ２は接栓Ｃ１、Ｃ２を周壁Ｂに取付けることにより周壁Ｂの内側に突設される。
【０００３】
図５の筐体Ａ内には回路基板Ｅ、シャーシＦが収納固定される。回路基板Ｅの表面には電子部品Ｇの他に表側保持具Ｈが、裏面には裏側保持具Ｉが実装されている。表側保持具Ｈが回路基板Ｅの表面に実装され、裏側保持具Ｉが裏面に実装されているのは、表側保持具Ｈを周壁Ｂの上部に取付けられている接栓Ｃ２に接続し、裏側保持具Ｉを周壁Ｂの下部に取付けられている接栓Ｃ１に接続するためである。
【０００４】
表側保持具Ｈの一つとして図７（ａ）〜（ｃ）に示すもの（接触片３枚のもの）がある。図７（ａ）〜（ｃ）の表側保持具Ｈは、一枚の金属板を平面形状コ字状（略コ字状を含む）に曲げ、対向する二枚の側壁Ｊの下方に二本の差し込み片Ｋと両側壁Ｊ間の連結壁Ｊ’の下方に一本の差し込み片Ｋが突設され、二枚の側壁Ｊの下部が上方に折り返されてハ字状（略ハ字状を含む）の接触片Ｌが対向配置されている。接触片Ｌは一定間隔で、一列に三枚ずつ配列されている。
【０００５】
裏側保持具Ｉの一つとして図８（ｄ）に示すものがある。図８（ｅ）の裏側保持具Ｉは、図８（ａ）のように、一枚の金属板が側面形状略Ｍ字状に折り曲げられ、３枚に区画された接触片Ｎと、四本の脚Ｏを備え、対向する接触片Ｎ間にコンタクトピン嵌合空間Ｐが設けられた板バネ状である。この裏側保持具Ｉは、図８（ｂ）（ｃ）に示すような樹脂製の箱型のケースＱ内に収容されており、前記脚Ｏが図８（ｄ）に示すようにケースＱの底面Ｒの差し込み孔Ｓに差し込まれて底面Ｒから外に突出し、接触片Ｎの折り曲げ部ＴがケースＱの開口部Ｕ（図８（ｂ））から外部に突出している。ケースＱの両側面にはスリットＶが設けられており、そのスリットＶはケースＱの開口部Ｕに連通している。図８（ｄ）の裏側保持具Ｉは図８（ｅ）のように回路基板Ｅの裏面に実装される。
【０００６】
図５の回路基板Ｅには細長の基板開口部Ｗが開口され、シャーシＦには細長のシャーシ開口部Ｘが開口されている。これら開口部Ｗ、ＸはシャーシＦに回路基板Ｅを配置固定すると互いに連通している。この場合、表側保持具Ｈ（図７（ａ）〜（ｃ））と裏側保持具Ｉ（図８（ａ））が実装されている回路基板Ｅ（図５）をシャーシＦにセットし、そのシャーシＦを筐体Ａ内に収容固定すると、表側保持具Ｈのコンタクトピン嵌合空間Ｙ（図７（ａ）（ｃ））が図６（ａ）のようにコンタクトピンＤ２と嵌合し、コンタクトピンＤ２が接触片Ｌ（図７（ａ））のバネ力で挟着保持されてコンタクトピンＤ２と電気的に導通可能に接触する。また、裏側保持具Ｉが図６（ｂ）のようにコンタクトピンＤ１と嵌合し、コンタクトピンＤ１が、対向している接触片Ｎ（図８（ａ））のバネ力で挟着保持されて、コンタクトピンＤ１と電気的に導通可能に接触する。
【０００７】
接栓Ｃ１には入出力用のケーブル、接栓Ｃ２にはモニタ用のケーブルが接続される。入出力用とモニタ用のいずれに使用される場合でも、表側保持具Ｈ（図７（ａ）〜（ｃ））はコンタクトピンＤ１との接触が、裏側保持具Ｉ（図８（ａ））はコンタクトピンＤ２との接触が確実になることが望まれる。特に、入出力用で使用する場合は発熱防止の点から接触抵抗が小さいことが望まれる。
【０００８】
裏側保持具Ｉ（図８（ａ））はケースＱ（図８（ｂ）（ｃ））内に、図８（ｄ）のように収容されているため、コンタクトピンＤ１が裏側保持具Ｉのコンタクトピン嵌合空間Ｐ内に嵌合しても、接触片Ｎが外側に拡がらずコンタクトピンＤ１と接触片Ｎとの確実な接触が確保される。しかし、表側保持具Ｈ（図７（ａ）〜（ｃ））はケース内に収容されることなく裸のまま回路基板Ｅ（図５）に取付けられるため、コンタクトピンＤ２がコンタクトピン嵌合空間Ｙ（図７（ａ）（ｃ））内に嵌合すると、ハ字形に対向している両接触片Ｌが外側に押し拡げられて、両接触片ＬによるコンタクトピンＤ２の挟着保持が弱まって、両者の接触が不安定になる。接触が不安定になると接触片Ｌ（図７（ａ）〜（ｃ））とコンタクトピンＤ２との接触抵抗が大きく影響して発熱し易くなる。
【０００９】
表側保持具Ｈ（図７（ａ）〜（ｃ））の接触片Ｌの拡がりを防止するため、従来は、可動式の押さえ板とコンタクトピン受け金具とでコンタクトピンを挟持するもの（特許文献１）、基板に固定する固定部と一対の脚部と両脚部を連結する連結部とを導電性弾性体で一体成型したコネクタ（特許文献２）などが提案されている。
【００１０】
図８（ｄ）に示すケース入りの裏側保持具Ｉは筐体Ａ（図５）の周壁Ｂの下部に取付けられている入出力用の接栓Ｃ１のコンタクトピンＤ１と接触する都合上、回路基板Ｅの裏面に実装される。
【００１１】
裏側保持具Ｉ（図８（ａ））の接触片ＮとコンタクトピンＤ１（図６（ｂ））との接触面積を広くするためには、接触片Ｎの枚数を多くすることが考えられるが、枚数を多くすると裏側保持具Ｉが接触片Ｎの配列方向に長くなってケースＱ（図８（ｂ）（ｃ））も大きくなり、回路基板Ｅへの実装スペースが広くなる。
【００１２】
特許文献１記載の挟持具や、特許文献２記載のコネクタは、挟持具或いはコネクタの構造が特許文献１、２用の独自のものであるため汎用性に欠けるという難点があった。
【００１３】
図８の裏側保持具は高周波領域、例えば、770MHz以上の帯域で減衰量が増加するという難点がある。また、筐体に取付けられた接栓のコンタクトピンと当該筐体内の基板に実装されたバネ性の端子（コンタクトピン保持具）との接触部のインピーダンスのミスマッチングにより、前記高周波領域でリターンロス（入射波と反射波の比をデシベルで表したもの）が悪化するという難点もある。
【先行技術文献】
【特許文献】
【００１４】
【特許文献１】特開平５−１４５７８３号（特許第３１１６１７２号）公報
【特許文献２】特開２００３−１０９７１５号（特許第４６２７３９３号）公報
【発明の概要】
【発明が解決しようとする課題】
【００１５】
本発明の課題は、コンタクトピンを確実に保持でき、伝送信号中の高周波領域のリターンロスが悪化しなく、伝送損失が少ないコンタクトピン保持具と、コンタクトピンに圧接する圧接具と、その圧接具を取り付けるケースを提供することにある。
【課題を解決するための手段】
【００１６】
本発明のコンタクトピン保持具は、ＣＡＴＶ用機器の回路基板に実装され且つコンタクトピンを保持可能なコンタクトピン保持具であり、絶縁性のケース内に導電性の圧接具が装備され、ケースは取り付け部と、コンタクトピン嵌入部と、コンタクトピン支持部と空間部を備え、圧接具は装備片と、装備片の下方に突出する突起と、装備片の上端部を下向きに湾曲させて装備片の軸方向途中まで折り返したバネ片を備え、バネ片はその下端部が装備片から離れる方向に拡がっており且つ装備片側に押して当該押しを開放すると元の状態に復元するバネ性を備えており、前記装備片は前記ケースの取り付け部に差し込まれて当該ケースに装備され、突起が回路基板に実装可能にケース底面の下方に突出しており、前記バネ片はケースのコンタクトピン嵌入部に嵌入されるコンタクトピンを前記コンタクトピン支持部に押し付けて当該コンタクトピン支持部との間に保持可能としてある。
【００１７】
本発明の圧接具は導電性であり、装備片と、装備片の下端に突出する突起と、装備片の上端部を下向きに湾曲させて装備片の軸方向途中まで折り返したバネ片を備え、バネ片は下端部が装備片から離れる方向に拡がっており且つ装備片側に押して当該押しを解除すると元の状態に復元するバネ性を備えたものである。バネ片は幅方向に二以上に区画されたものであってもよい。
【００１８】
本発明のケースは絶縁材製であって四方に側壁を備えた上方開口の箱型であり、前記圧接具の装備片を差し込んで取付け可能な取り付け部と、コンタクトピンを嵌入可能なコンタクトピン嵌入部と、コンタクトピン嵌入部に嵌入されてバネ片で押されるコンタクトピンを支持可能なコンタクトピン支持部と、ケース外部に連通する空間部を備えている。空間部はコンタクトピン嵌入部に嵌入されるコンタクトピンの軸方向と直交する両側壁又はいずれか一方の側壁に開口されて外部に連通しているものである。
【発明の効果】
【００１９】
本発明のコンタクトピン保持具は次の効果がある。
（１）圧接具の装備片の下端に回路基板に実装可能な突起が突設されているのでプリント基板への実装が容易にかつ確実にできる。
（２）コンタクトピンを圧接具のバネ片と保持具ケースのコンタクトピン支持部との間に確実に挟着保持することができ、コンタクトピンとバネ片との接触が確実になり、圧接具が実装される回路基板の端子とコンタクトピンとの接触も確実になり、接触抵抗も減少する。
（３）圧接具のバネ片が装備片の軸方向途中までの長さである（短い）ため、バネ片の表面積が小さくなり静電容量Ｃが減少する。
（４）ケースの側壁にケース外部に連通する空間部があるため、空間部がない場合よりも誘電率εが空気に近づく。このためコンタクトピンと圧接具との接触部でリターンロスが改善され、高周波領域での減衰量の増加が少なくなる。
【００２０】
本発明の圧接具は次の効果がある。
（１）バネ片がコンタクトピンをケースのコンタクトピン支持部に圧接できるバネ性を備えているので、コンタクトピンとバネ片との接触が安定し、接触抵抗も減少し通電による発熱も抑制できる。
（２）バネ片が装備片の軸方向途中まで（上側部分まで）しか折り返されていないため、バネ片の寸法が短くなって静電容量Ｃが減少し、伝送信号のリターンロスが改善し、高周波領域での減衰量の増加が少なくなる。
【００２１】
本発明のケースは、ケース外部に連通する空間部が側壁に開口されているため、空間部の誘電率εが空気の誘電率εに近づくことになり、静電容量Ｃが減少し、高周波領域でのリターンロスが改善し、減衰量の増加が抑制されるという効果がある。
【図面の簡単な説明】
【００２２】
【図１】（ａ）は本発明のコンタクトピン保持具の一例の斜視図、（ｂ）は（ａ）のコンタクトピン保持具の圧接具の一例を示す斜視図、（ｃ）は（ａ）のコンタクトピン保持具のケースの一例を示す斜視図、（ｄ）は圧接具の他例を示す斜視図、（ｅ）は（ｄ）の圧接具をケース内に圧入した状態の斜視図。
【図２】本発明のコンタクトピン保持具の使用説明図であり、（ａ）は回路基板への取り付け状態の説明図、（ｂ）は本発明のコンタクトピン保持具を実装した回路基板と接栓のコンタクトピンとの嵌合説明図。
【図３】単位長伝送線の等価回路図。
【図４】平行平板状電極における静電容量Ｃの説明図。
【図５】従来のＣＡＴＶ機器の一例を示す分解図。
【図６】従来の端子保持構造を備えたＣＡＴＶ機器の一部縦断面図であり（ａ）は分配接栓のコンタクトピンと端子との接続状態を示す縦断面図、（ｂ）は入出力接栓のコンタクトピンと端子との接続状態を示す縦断面図。
【図７】従来の表側保持具を示すものであって、（ａ）は斜視図、（ｂ）はその側面図、（ｃ）はその平面図。
【図８】従来の裏側保持具の一例を示すものであって、（ａ）は端子の斜視図、（ｂ）は（ａ）の端子を収容するケースの上面側斜視図、（ｃ）は同ケースの裏面側斜視図、（ｄ）は（ａ）の端子を（ｂ）のケースに収容した裏側保持具の斜視図、（ｅ）は（ｄ）の回路基板への裏側保持具の取り付け状態の説明図、（ｆ）は（ｄ）の裏側保持具を実装した回路基板と接栓のコンタクトピンとの嵌合説明図。
【発明を実施するための形態】
【００２３】
（コンタクトピン保持具の実施形態）
本発明のコンタクトピン保持具の実施形態の一例を、図面を参照して説明する。図１（ａ）に示すコンタクトピン保持具１は、絶縁性のケース２内に導電性の圧接具３が装備されている。
【００２４】
［ケース］
ケース２は樹脂成型品であり、取り付け部４とコンタクトピン嵌入部５とコンタクトピン支持部６と空間部７を備えている。取り付け部４は圧接具３の装備片８を差し込んで固定可能な差込み空間であり、上方開口である。コンタクトピン嵌入部５は幹線増幅器、分岐器等のＣＡＴＶ機器のダイキャスト製の筐体の周壁に取付けられている入出力用の接栓Ｃ１（図２（ａ）（ｂ））のコンタトピンＤ１（図２（ａ）（ｂ））を押込んで、又は、コンタクトピンＤ１に被せて、コンタクトピンＤ１を嵌入可能な空間部であり、ケース２の両側壁９（図１（ｃ））及び上面に開口している。
【００２５】
コンタクトピン支持部６はコンタクトピン嵌入部５に嵌入されて圧接具３のバネ片１０で押されるコンタクトピンＤ１を支持する箇所である。
【００２６】
ケース２の両側壁９には空間部７を下向きＵ字形状に開口して側壁９の外に連通させて、空間部７の誘電率εが空気の誘電率εと同じになるようにしてある。空間部７は一方の側壁にのみ開口することもできる。
【００２７】
［圧接具］
圧接具３は金属製の薄板であり、ケース２の取り付け部４に圧入して固定可能な装備片８と、当該装備片８の上端部に連続するバネ片１０を備えている。
【００２８】
装備片８は板状であり、その略中央部に開口部１２があり、下方に二本の突起１３が突設されている。この突起１３は装備片８がケース２の取り付け部４に差し込まれて当該ケース２に装備されると、ケース２の底面から下方に突出して、回路基板Ｅ（図５）の取付け孔に差し込んで回路基板Ｅに実装できる長さとしてある。
【００２９】
バネ片１０は装備片８の上端を下向きに湾曲させて、装備片８の軸方向（図１（ｂ）の上下方向）途中まで折り返して形成されている。バネ片１０の下端側（先端側）は装備片８から離れる方向（ケース２のコンタクトピン支持部６側）に拡がっており、装備片８側に押してから当該押しを解除すると元に復元するバネ性を備えている。バネ片１０はケース２のコンタクトピン嵌入部５に嵌入されるコンタクトピンＤ１（図２（ａ）（ｂ））を、前記バネ性によりコンタクトピン支持部６に押し付けて当該コンタクトピン支持部６との間に挟着保持できるものである。前記バネ片１０は幅方向に二以上に区画されている。区画数は任意数とすることができる。区画されたバネ片１０の幅、間隔等は、コンタクトピン嵌入部５に嵌入されるコンタクトピンＤ１の径、長さ等に合わせて設計することができる。
【００３０】
図１（ｄ）のように、圧接具３の四本のバネ片１０のうち、内側の二本を外側の二本よりも上方にはね上げておくこともできる。この圧接具３は、図１（ｅ）のようにケース２内に圧入できる。バネ片１０の枚数、形状は図示した以外であってもよい。
【００３１】
図３は単位長伝送線の等価回路である。図３において抵抗Ｒ、インダクタンスＬ、コンダクタンスＧ、静電容量Ｃとすれば、伝送線の減衰定数αは式（１）で表される。
【００３２】
【数１】
0006452634.tif 000002
【００３３】
式（１）において、抵抗Ｒ、インダクタンスＬ、コンダクタンスＧが変化しない場合、減衰定数αは静電容量Ｃが大きくなれば大きくなる。
【００３４】
図４は平行平板電極の静電容量Ｃの解説図である。図４において空間誘電率ε：（Ｆ／ｍ）、平行平板２０間の距離ｄ（ｍ）、平板面積Ｓ（ｍ２）とすれば、静電容量Ｃは式（２）で求められる。
【００３５】
【数２】
0006452634.tif 000003
【００３６】
距離ｄ（ｍ）、平板面積Ｓ（ｍ２）が一定の場合、式（２）より、誘電率εの変化がそのまま静電容量Ｃの変化となる。真空の誘電率ε０が8.854×10−１２のとき、平行平板２０間の空間の静電容量Ｃが最も小さくなるのは空間が真空に近づく空気の状態のときである。
【００３７】
図４の平板の一方を本件発明の圧接具（コンタクト）側、他方をグランド側（回路基板側）とみなすことができる。本発明では図1（ｂ）のように装備片８に開口部１２を設けて装備片８の面積を小さくし、ケース２の側壁９に空間部７を開口して外部に貫通させて空間部７の誘電率εを空気の誘電率εと同じにしてあるため、本発明では静電容量Ｃが小さくなって、伝送線の減衰量が低減する。
【産業上の利用可能性】
【００３８】
本発明のコンタクトピン保持具１は、ＣＡＴＶ用機器の接栓のコンタクトピンとの接触確保に限らず、他の通信機器や電子機器のコンタクトピンとの接触確保に利用することもできる。
【符号の説明】
【００３９】
１    コンタクトピン保持具
２    ケース
３    圧接具
４    （ケースの）取り付け部
５    （ケースの）コンタクトピン嵌入部
６    （ケースの）コンタクトピン支持部
７    （ケースの）空間部
８    （圧接具の）装備片
９    （ケースの）側壁
１０    （圧接具の）バネ片
１２    （圧接具の）開口部
１３    （圧接具の）突起
２０    平行平板
Ａ    筐体
Ｂ    （筐体の）周壁
Ｃ１、Ｃ２  接栓
Ｄ１、Ｄ２  コンタクトピン
Ｅ    回路基板
Ｆ    シャーシ
Ｇ    電子部品
Ｈ    表側保持具
Ｉ    裏側保持具
Ｊ    側壁
Ｊ’  連結壁
Ｋ    差し込み片
Ｌ    接触片
Ｎ    接触片
Ｏ    脚
Ｐ    コンタクトピン嵌合空間
Ｑ    ケース
Ｒ    （ケースの）底面
Ｓ    差し込み孔
Ｔ    折り曲げ部
Ｕ    （ケースの）開口部
Ｖ    スリット
Ｗ    基板開口部
Ｘ    シャーシ開口部
Ｙ    コンタクトピン嵌合空間
【図１】
0006452634.tif 000004
【図２】
0006452634.tif 000005
【図３】
0006452634.tif 000006
【図４】
0006452634.tif 000007
【図５】
0006452634.tif 000008
【図６】
0006452634.tif 000009
【図７】
0006452634.tif 000010
【図８】
0006452634.tif 000011